(57)【特許請求の範囲】
【請求項１】
Ｗｉ−Ｆｉネットワークに自動的にアクセスするための方法であって、
端末により、前記端末の現在のモバイル・ネットワーク位置識別子を取得するステップと、
前記端末により、前記端末の前記現在のモバイル・ネットワーク位置識別子がＷｉ−Ｆｉアクセス位置リストに格納されているかどうかを判定するステップであって、前記Ｗｉ−Ｆｉアクセス位置リストは、Ｗｉ−Ｆｉ無線信号アクセスを提供する領域に対応する関連識別子を格納するために使用されるステップと、
前記端末の前記現在のモバイル・ネットワーク位置識別子が前記Ｗｉ−Ｆｉアクセス位置リストに格納されていると前記端末が判定したとき、Ｗｉ−Ｆｉアクセス・モジュールを有効状態にして、Ｗｉ−Ｆｉネットワーク検索接続プロセスを開始するステップと、
を含み、
少なくとも２つのアクセス・ポイントが検索を通じて発見されたとき、Ｗｉ−Ｆｉアクセス位置リストは、前記少なくとも２つのアクセス・ポイントのうち特定のアクセス・ポイントとの接続を確立することで生成され、
前記接続に成功した後に、前記特定のアクセス・ポイントに対応するＷｉ−Ｆｉサービス・セット識別子を取得し、前記Ｗｉ−Ｆｉサービス・セット識別子を、前記Ｗｉ−Ｆｉアクセス位置リスト内の前記モバイル・ネットワーク位置識別子に対応するレコードに格納し、別のアクセス・ポイントの接続プロセスを開始する、
方法。
【請求項２】
前記端末により、前記端末の前記現在のモバイル・ネットワーク位置識別子を取得した後、前記方法は、
前記端末により比較を通じて、前記現在のモバイル・ネットワーク位置識別子と以前に格納したモバイル・ネットワーク位置識別子とが同一であるかどうかを判定するステップをさらに含み、
前記端末により、前記端末の前記現在のモバイル・ネットワーク位置識別子が前記Ｗｉ−Ｆｉアクセス位置リストに格納されているかどうかを判定するステップは特に、
前記現在のモバイル・ネットワーク位置識別子と前記以前に格納したモバイル・ネットワーク位置識別子との比較結果が否定的であるとき、前記端末により、前記現在のモバイル・ネットワーク位置識別子が前記Ｗｉ−Ｆｉアクセス位置リストに格納されているかどうかを判定するステップを含む、
請求項１に記載の方法。
【請求項３】
前記モバイル・ネットワーク位置識別子は特にモバイル・ネットワークのセル識別子であり、
前記端末により、前記端末の前記現在のモバイル・ネットワーク位置識別子を取得するステップは、特に、
前記端末により、モバイル・ネットワークにより配信されたセル・ブロードキャスト・  メッセージに従って、前記端末が配置されている前記モバイル・ネットワークのセル識別子を取得するステップ含む、
請求項１または２に記載の方法。
【請求項４】
前記Ｗｉ−Ｆｉアクセス位置リストはさらに、前記モバイル・ネットワークの前記セル識別子により示される領域内のアクセス・ポイントに対応するＷｉ−Ｆｉサービス・セット識別子を格納するために使用され、
前記端末により前記Ｗｉ−Ｆｉネットワーク検索接続プロセスを開始するステップは特に、前記端末により、前記端末が配置されている前記領域内の前記アクセス・ポイントに対応する前記Ｗｉ−Ｆｉサービス・セット識別子に従って前記Ｗｉ−Ｆｉネットワーク検索接続プロセスを開始するステップを含む、
請求項３に記載の方法。
【請求項５】
Ｗｉ−Ｆｉアクセス・モジュールの有効化をトリガし、ネットワーク検索プロセスを開始するステップと、
端末によりネットワーク検索結果に従って、検索を通じて発見されたアクセス・ポイントとの接続を確立するステップと、
前記端末により、前記端末の現在のモバイル・ネットワーク位置識別子を取得し、前記モバイル・ネットワーク位置識別子をＷｉ−Ｆｉアクセス位置リストに格納するステップと、
を含み、
前記モバイル・ネットワーク位置識別子は、前記端末が配置されているモバイル・ネットワークのセル識別子であり、
前記端末の前記現在のモバイル・ネットワーク位置識別子を前記Ｗｉ−Ｆｉアクセス位置リストに格納するステップは特に、前記端末が配置されている前記モバイル・ネットワークの前記セル識別子を前記Ｗｉ−Ｆｉアクセス位置リストに格納するステップであり、
前記端末はさらに、前記端末の現在のアクセス・ポイントに対応するＷｉ−Ｆｉサービス・セット識別子を取得し、
前記端末は、取得した前記Ｗｉ−Ｆｉサービス・セット識別子を、前記Ｗｉ−Ｆｉアクセス位置リスト内の前記モバイル・ネットワーク位置識別子に対応するレコードに格納し、
少なくとも２つのアクセス・ポイントが検索を通じて発見されたとき、取得したＷｉ−Ｆｉサービス・セット識別子を、前記Ｗｉ−Ｆｉアクセス位置リスト内の前記モバイル・ネットワーク位置識別子に対応するレコードに格納するステップは、
前記端末により、前記少なくとも２つのアクセス・ポイントのうち特定のアクセス・ポイントとの接続を確立するステップと、
前記接続に成功した後、前記端末により、前記アクセス・ポイントに対応するＷｉ−Ｆｉネットワークのサービス・セット識別子を取得し、前記モバイル・ネットワーク位置識別子に対応するレコード内の前記サービス・セット識別子を前記Ｗｉ−Ｆｉアクセス位置リストに格納し、別のアクセス・ポイントの接続プロセスを開始するステップと、
を含む、
Ｗｉ−Ｆｉアクセス位置リスト生成方法。
【請求項６】
端末であって、
前記端末の現在のモバイル・ネットワーク位置識別子を取得するように構成された位置識別子取得モジュールと、
前記端末の前記現在のモバイル・ネットワーク位置識別子がＷｉ−Ｆｉアクセス位置リストに格納されているかどうかを判定するように構成された判定モジュールであって、前記Ｗｉ−Ｆｉアクセス位置リストは、Ｗｉ−Ｆｉ無線信号アクセスを提供する領域に対応する関連識別子を格納するために使用される判定モジュールと、
前記端末の前記現在のモバイル・ネットワーク位置識別子が前記Ｗｉ−Ｆｉアクセス位置リストに格納されたと前記判定モジュールが判定したとき、Ｗｉ−Ｆｉアクセス・モジュールを有効状態にし、Ｗｉ−Ｆｉネットワーク検索接続プロセスを開始するように構成された実行モジュールと、
を備え、
少なくとも２つのアクセス・ポイントが検索を通じて発見されたとき、Ｗｉ−Ｆｉアクセス位置リストは、前記少なくとも２つのアクセス・ポイントのうち特定のアクセス・ポイントとの接続を確立することで生成され、
前記接続に成功した後に、前記位置識別子取得モジュールは、前記特定のアクセス・ポイントに対応するＷｉ−Ｆｉサービス・セット識別子を取得し、前記Ｗｉ−Ｆｉサービス・セット識別子を、前記Ｗｉ−Ｆｉアクセス位置リスト内の前記モバイル・ネットワーク位置識別子に対応するレコードに格納し、別のアクセス・ポイントの接続プロセスを開始するように構成される、
端末。
【請求項７】
比較を通じて、前記現在のモバイル・ネットワーク位置識別子と以前に格納したモバイル・ネットワーク位置識別子とが同一であるかどうかを判定するように構成された比較モジュールと、
前記比較モジュールの比較の結果、前記現在のモバイル・ネットワーク位置識別子と前記以前に格納したモバイル・ネットワーク位置識別子が同一でないとき、前記判定モジュールをトリガして、前記現在のモバイル・ネットワーク位置識別子が前記Ｗｉ−Ｆｉアクセス位置リストに格納されているかどうかを判定するように構成されたトリガ・モジュールと、
をさらに備える、請求項６に記載の端末。
【請求項８】
前記モバイル・ネットワーク位置識別子は特にモバイル・ネットワークのセル識別子であり、
前記位置識別子取得モジュールは特に、モバイル・ネットワークにより配信されたセル・ブロードキャスト・メッセージに従って、前記端末が配置されている前記モバイル・ネットワークのセル識別子を取得するように構成された、
請求項６または７に記載の端末。
【請求項９】
前記Ｗｉ−Ｆｉアクセス位置リストはさらに、前記モバイル・ネットワークの前記セル識別子により示される領域内のアクセス・ポイントに対応するＷｉ−Ｆｉサービス・セット識別子を格納するために使用され、
前記実行モジュールは特に、前記端末の前記現在のモバイル・ネットワーク位置識別子が前記Ｗｉ−Ｆｉアクセス位置リストに格納されていると判定されたとき、前記アクセス・ポイントに対応する前記Ｗｉ−Ｆｉサービス・セット識別子に従ってＷｉ−Ｆｉ接続プロセスを開始するように構成された、
請求項８に記載の端末。
【発明の詳細な説明】
【技術分野】
【０００１】
関連出願の記載
本出願は、発明の名称を「Ｗｉ−Ｆｉネットワークに自動的にアクセスするための方法および端末」とした、２０１１年１０月２９日に中国国家知識産権局に出願された中国特許出願第２０１１１０３３５５２７．６に対する優先権を主張し、その全体を引用により本明細書に組み込む。
【０００２】
本発明は、無線アクセス技術に関し、特に、Ｗｉ−Ｆｉネットワークに自動的にアクセスするための方法および端末に関する。
【背景技術】
【０００３】
Ｗｉ−Ｆｉ（Ｗｉｒｅｌｅｓｓ  Ｆｉｄｅｌｉｔｙ）アクセス技術とは、パーソナル・コンピュータ（ＰＣ）およびＰＤＡ（Ｐｅｒｓｏｎａｌ  Ｄｉｇｉｔａｌ  Ａｓｓｉｓｔａｎｔ）のようなハンドヘルド・デバイスおよび携帯電話のような、端末をネットワークに無線で接続するための技術である。ネットワークにＷｉ−Ｆｉを介してアクセスするアーキテクチャでは、図１に示すように、固定端末はルータやスイッチを介してインターネットにアクセスできるが、携帯電話、ＰＤＡ、タブレット（タブレット・コンピュータ）、およびポータブル・コンピュータのようなモバイル端末はＡＰ（Ａｃｃｅｓｓ  Ｐｏｉｎｔ）を介してインターネットに無線でアクセスする。
【０００４】
ネットワークにＷｉ−Ｆｉを介してアクセスするアーキテクチャから、Ｗｉ−Ｆｉ無線アクセス・システムはアクセス・ポイントを介して無線アクセス・サービスを提供するが、アクセス・ポイントの配置は連続的ではなく、そのためＷｉ−Ｆｉ信号アクセスのカバレッジは地理的に不連続であることが分かる。モバイル端末には移動性がある。幾つかの場所では、アクセス・ポイントがあり、したがってモバイル端末はＷｉ−Ｆｉ無線アクセスを実施できるが、幾つかの場所ではアクセス・ポイントがなく、したがってアクセスを提供することができない。
【発明の概要】
【発明が解決しようとする課題】
【０００５】
モバイル端末のＷｉ−Ｆｉ機能を設定するために、Ｗｉ−Ｆｉ機能を有効状態に設定することができる。この状態では、モバイル端末は定期的にアクセス・ポイントを検索する。このようにして、アクセス・ポイントが存在しない領域においても、モバイル端末は検索を連続的に実施し、それにより端末の電力消費が増大する。Ｗｉ−Ｆｉ機能を無効状態に設定してもよい。こうすると、アクセス・ポイントが存在する領域にモバイル端末が入った場合でも、ユーザはＷｉ−Ｆｉ機能をリセットして有効にする必要がある。そうでない場合には、２Ｇ／３Ｇモバイル・ネットワーク方式しか使用することができない。しかし、Ｗｉ−Ｆｉ無線アクセス方式と比べると、２Ｇ／３Ｇモバイル・ネットワーク・アクセス方式には、コストが高く速度が遅いという特徴があり、これによりユーザの通信コストが増大するだけでなく運用者の２Ｇ／３Ｇモバイル・ネットワークのサービス・トラフィックへの圧力を軽減することができない。
【課題を解決するための手段】
【０００６】
以上の既存の課題に鑑み、本発明の諸実施形態では、端末がＷｉ−Ｆｉアクセス・ネットワークへ自動的に切り替えることができるように、Ｗｉ−Ｆｉネットワークに自動的にアクセスするための方法と端末を提供する。
【０００７】
１態様では、本発明はＷｉ−Ｆｉネットワークに自動的にアクセスするための方法を提供する。当該方法は、端末により、当該端末の現在のモバイル・ネットワーク位置識別子を取得するステップと、当該端末により、当該端末の当該現在のモバイル・ネットワーク位置識別子がＷｉ−Ｆｉアクセス位置リストに格納されているかどうかを判定するステップであって、当該Ｗｉ−Ｆｉアクセス位置リストは、Ｗｉ−Ｆｉ無線信号アクセスを提供する領域に対応する関連識別子を格納するために使用されるステップと、当該端末の当該現在のモバイル・ネットワーク位置識別子が当該Ｗｉ−Ｆｉアクセス位置リストに格納されていると当該端末が判定したとき、Ｗｉ−Ｆｉアクセス・モジュールを有効状態にして、Ｗｉ−Ｆｉネットワーク検索接続プロセスを開始するステップと、を含む。
【０００８】
別の態様では、Ｗｉ−Ｆｉアクセス位置リスト生成方法を提供する。当該方法は、Ｗｉ−Ｆｉアクセス・モジュールの有効化をトリガし、ネットワーク検索プロセスを開始するステップと、端末によりネットワーク検索結果に従って、検索を通じて発見されたアクセス・ポイントとの接続を確立するステップと、当該端末により、当該端末の現在のモバイル・ネットワーク位置識別子を取得し、当該モバイル・ネットワーク位置識別子をＷｉ−Ｆｉアクセス位置リストに格納するステップと、を含む。
【０００９】
別の態様では、端末を提供する。当該端末は、当該端末の現在のモバイル・ネットワーク位置識別子を取得するように構成された位置識別子取得モジュールと、当該端末の当該現在のモバイル・ネットワーク位置識別子がＷｉ−Ｆｉアクセス位置リストに格納されているかどうかを判定するように構成された判定モジュールであって、当該Ｗｉ−Ｆｉアクセス位置リストは、Ｗｉ−Ｆｉ無線信号アクセスを提供する領域に対応する関連識別子を格納するために使用される判定モジュールと、当該端末の当該現在のモバイル・ネットワーク位置識別子が当該Ｗｉ−Ｆｉアクセス位置リストに格納されたと当該判定モジュールが判定したとき、Ｗｉ−Ｆｉアクセス・モジュールを有効状態にし、Ｗｉ−Ｆｉネットワーク検索接続プロセスを開始するように構成された実行モジュールと、を備える。
【００１０】
別の態様では、Ｗｉ−Ｆｉアクセス位置リスト生成モジュールを提供する。当該モジュールは、Ｗｉ−Ｆｉアクセス・モジュールの有効化をトリガし、ネットワーク検索プロセスを開始し、検索を通じて発見されたアクセス・ポイントとの接続を確立した後に、端末の現在のモバイル・ネットワーク位置識別子を取得するように構成された位置識別子取得ユニットと、当該モバイル・ネットワーク位置識別子をＷｉ−Ｆｉアクセス位置リストに格納するように構成された記憶処理ユニットと、を備える。
【００１１】
以上の技術的解決策から、本発明の諸実施形態で提供する、Ｗｉ−Ｆｉネットワークに自動的にアクセスするための方法と端末により、モバイル・ネットワークの広範囲のカバレッジを使用して、Ｗｉ−Ｆｉアクセス位置リストに格納された情報に従ってＷｉ−Ｆｉ信号アクセスを自動的に実施することができ、それにより、Ｗｉ−Ｆｉアクセス・ポイントの不連続なカバレッジに起因する不都合な端末のＷｉ−Ｆｉ動作状態制御の問題が良好に解決されることが分かる。
【００１２】
本発明の諸実施形態または先行技術における技術的解決策をより明確に説明するために、当該実施形態または先行技術を説明するのに必要な添付図面を下記で簡単に説明する。明らかに、下記の説明における添付図面は本発明の幾つかの実施形態を示すにすぎず、当業者は創造的作業なしにこれらの添付図面から他の図面を導出することもできる。
【図面の簡単な説明】
【００１３】
【図１】先行技術におけるＷｉ−Ｆｉアクセスの略アーキテクチャ図である。
【図２】本発明の１実施形態に従うＷｉ−Ｆｉネットワークに自動的にアクセスするための方法の略流れ図である。
【図３】本発明の１実施形態に従うＷｉ−Ｆｉアクセス位置リスト生成方法の略流れ図である。
【図４】本発明に従う端末の略構造図である。
【図５】本発明の１実施形態に従うＷｉ−Ｆｉアクセス位置リスト生成モジュールの略構造図である。
【発明を実施するための形態】
【００１４】
本発明の目的、技術的解決策、および利点をより分かりやすくするために、本発明の１実施形態における技術的解決策を、本発明の１実施形態において添付図面を参照して以下で明確に説明する。明らかに、説明する諸実施形態は本発明の実施形態の全部ではなく一部にすぎない。本発明の諸実施形態に基づいて当業者が創造的作業なしに得る他の全ての実施形態は本発明の保護範囲に入るものとする。
【００１５】
図２を参照すると、本発明で提供する方法の実施形態は以下のプロセスを含む。
Ｓ２０１で、端末が当該端末の現在のモバイル・ネットワーク位置識別子を取得する。
【００１６】
具体的な実装プロセスでは、モバイル・ネットワーク位置識別子に対して、モバイル・ネットワークのセル識別子を以下のように取得してもよい。即ち、端末は、モバイル・ネットワークにより配信されたセル・ブロードキャスト・メッセージに従って、端末が配置されているモバイル・ネットワークのセル識別子を取得してもよい。
【００１７】
Ｓ２０２で、端末は、端末の現在のモバイル・ネットワーク位置識別子がＷｉ−Ｆｉアクセス位置リストに格納されているかどうかを判定する。当該Ｗｉ−Ｆｉアクセス位置リストは、Ｗｉ−Ｆｉ無線信号アクセスを提供する領域に対応する関連識別子を格納するために使用される。
【００１８】
Ｗｉ−Ｆｉ無線信号アクセスを提供する領域に対応する関連識別子は論理識別子である。モバイル・ネットワークでは、例えば、ＧＳＭ（Ｇｌｏｂａｌ  Ｓｙｓｔｅｍ  Ｆｏｒ  Ｍｏｂｉｌｅ  Ｃｏｍｍｕｎｉｃａｔｉｏｎ）およびＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワークに対して、当該関連識別子はＣｅｌｌ  ＩＤであり、ＣＤＭＡ（Ｃｏｄｅ  Ｄｉｖｉｓｉｏｎ  Ｍｕｌｔｉｐｌｅ  Ａｃｃｅｓｓ）ネットワークに対しては、当該関連識別子はＳＩＤ（Ｓｙｓｔｅｍ  Ｉｄｅｎｔｉｆｉｅｒ）およびＮＩＤ（Ｎｅｔｗｏｒｋ  Ｉｄｅｎｔｉｆｉｅｒ）である。ネットワーク技術の発展により、他の識別子を識別に使用してもよく、本発明の実施形態では限定されないことは理解される。
【００１９】
場合によっては、端末が当該端末の現在のモバイル・ネットワーク位置識別子を取得した後、当該端末はまず、比較を通じて、現在のモバイル・ネットワーク位置識別子と以前に格納したモバイル・ネットワーク位置識別子が同一であるかどうかを判定し、比較の結果、これら２つが同一でないとき、当該端末は、現在のモバイル・ネットワーク位置識別子がＷｉ−Ｆｉアクセス位置リストに格納されているかどうかを判定する。
【００２０】
以上の方式を使用することによって、端末は現在のモバイル・ネットワーク位置識別子と以前に格納したモバイル・ネットワーク位置識別子を比較して、これら２つが同一でないときにのみ、端末はモバイル・ネットワーク位置識別子がＷｉ−Ｆｉアクセス位置リストに格納されているかどうかを判定する。これにより、モバイル・ネットワーク位置識別子がＷｉ−Ｆｉアクセス位置リストに格納されているかどうかを端末が継続的に判定することが回避され、リソースの浪費が回避される。
【００２１】
Ｓ２０３で、端末の現在のモバイル・ネットワーク位置識別子がＷｉ−Ｆｉアクセス位置リストに格納されていると当該端末が判定したとき、当該端末は、Ｗｉ−Ｆｉアクセス・モジュールを有効状態にさせ、Ｗｉ−Ｆｉネットワーク検索接続プロセスを開始する。
【００２２】
以上の実施形態を使用することによって、端末は、当該端末の現在のモバイル・ネットワーク位置識別子がＷｉ−Ｆｉアクセス位置リストにあると判定したときにのみ、自動的にＷｉ−Ｆｉアクセス・モジュールを有効にする。このように、モバイル・ネットワークの広範囲のカバレッジを使用して、Ｗｉ−Ｆｉアクセス位置リストに格納された情報に従ってＷｉ−Ｆｉ信号アクセスを自動的に実施することができる。その結果、Ｗｉ−Ｆｉアクセス・ポイントの不連続なカバレッジに起因する不都合な端末のＷｉ−Ｆｉ動作状態制御の問題が良好に解決される。
【００２３】
以上の方法の実施形態では、モバイル・ネットワーク位置識別子が特にモバイル・ネットワークのセル識別子であってもよく、端末は、モバイル・ネットワークが配信するセル・ブロードキャスト・メッセージに従って端末が配置されているモバイル・ネットワークのセル識別子を取得する。
【００２４】
場合によっては、Ｗｉ−Ｆｉアクセス位置リストがさらに、モバイル・ネットワーク位置識別子が示す領域内のアクセス・ポイントに対応するＷｉ−Ｆｉ  ＳＳＩＤ（Ｓｅｒｖｉｃｅ  Ｓｅｔ  Ｉｎｄｉｃａｔｏｒ）を前もって格納してもよく、端末がＷｉ−Ｆｉネットワーク検索接続プロセスを開始したとき、当該端末は当該端末が配置されている領域内のアクセス・ポイントに対応するＷｉ−Ｆｉ  ＳＳＩＤを介してＷｉ−Ｆｉネットワーク検索接続プロセスを開始してもよい。
【００２５】
Ｗｉ−Ｆｉアクセス位置リストは、モバイル・ネットワーク位置識別子が示す領域内のアクセス・ポイントに対応するＷｉ−Ｆｉサービス・セット識別子を格納する。その結果、端末がＷｉ−Ｆｉネットワークの検索と接続を実施するとき、当該端末はネットワーク検索およびアクセス・ポイント接続のプロセスをこれらのＷｉ−Ｆｉ  ＳＳＩＤに従ってより迅速に実施することができる。
【００２６】
具体的な実装プロセスでは、端末ソフトウェアのＷｉ−Ｆｉ設定において、もとの有効オプションと無効オプションに加えて、「自動」オプションを追加してもよい。端末の電源を入れたとき、または、モバイル・ネットワークにより配信されるセル・ブロードキャスト・メッセージに従って端末のモバイル・ネットワーク位置識別子が変化したと判定されたとき（ＧＳＭ（登録商標）およびＷＣＤＭＡ（登録商標）ネットワークでは当該セル識別子はＣｅｌｌ  ＩＤであり、ＣＤＭＡネットワークでは当該セル識別子はＳＩＤおよびＮＩＤである）、端末の現在のモバイル・ネットワーク位置識別子に従ってＷｉ−Ｆｉアクセス位置リストを検索する。現在のモバイル・ネットワーク位置識別子が当該リスト内に格納されている場合には、端末は自動的にＷｉ−Ｆｉ機能を有効にし、Ｗｉ−Ｆｉネットワーク検索およびネットワーク接続のような通常の手続きを実施し、そうでない場合には、Ｗｉ−Ｆｉアクセス・モジュールを無効にする。以上のプロセスは端末により自動的に実現され、ユーザの介入は必要でない。
【００２７】
Ｗｉ−Ｆｉアクセス位置リストがモバイル・ネットワーク位置識別子に対応するＷｉ−Ｆｉ  ＳＳＩＤの情報を記録する場合には、当該端末はネットワーク検索中にこれらのＷｉ−Ｆｉ  ＳＳＩＤを優先的に検索し、接続プロセスを実施する。
【００２８】
Ｗｉ−Ｆｉ信号がおそらく存在する地理的領域に端末が入り、多くの場合でユーザがデータ・サービスを実施しないとき、端末の電力節約を考慮して、端末は、Ｗｉ−Ｆｉネットワークに自動的にアクセスするプロセスを開始して、Ｗｉ−Ｆｉ検索および接続の手続きを、端末の画面がターンオンされるかまたはユーザがデータ・サービス要求を開始した後にのみ実施してもよい。
【００２９】
さらに、本発明はＷｉ−Ｆｉアクセス位置リスト生成方法の実施形態を提供する。当該実施形態は、以下を含む。
【００３０】
Ｓ３０１で、Ｗｉ−Ｆｉアクセス・モジュールの有効化をトリガし、ネットワーク検索プロセスを開始する。
このトリガを手動で実施してもよく、端末により自動的に実施してもよい。
【００３１】
Ｓ３０２で、当該端末は、ネットワーク検索結果に従って、検索を通じて発見されたアクセス・ポイントとの接続を確立する。
【００３２】
Ｗｉ−Ｆｉアクセス・ポイント情報を、ネットワーク検索結果に従って取得する。ユーザまたは端末は、当該情報に従って、検索を通じて発見されたアクセス・ポイントとの接続を自動的に確立してもよい。
【００３３】
Ｓ３０３で、端末は当該端末の現在のモバイル・ネットワーク位置識別子を取得し、当該モバイル・ネットワーク位置識別子をＷｉ−Ｆｉアクセス位置リストに格納する。
【００３４】
場合によっては、モバイル・ネットワーク位置識別子は端末が配置されているモバイル・ネットワークのセル識別子である。端末の現在のモバイル・ネットワーク位置識別子をＷｉ−Ｆｉアクセス位置リストに格納することは、具体的には、端末が配置されているモバイル・ネットワークのセル識別子をＷｉ−Ｆｉアクセス位置リストに格納することである。
【００３５】
場合によっては、端末はさらに、当該端末の現在のアクセス・ポイントに対応するＷｉ−Ｆｉ  ＳＳＩＤを取得してもよい。
【００３６】
端末は、取得したＷｉ−Ｆｉ  ＳＳＩＤを、Ｗｉ−Ｆｉアクセス位置リスト内のモバイル・ネットワーク位置識別子に対応するレコードに格納する。
【００３７】
具体的な実装プロセスでは、モバイル端末が特定のＷｉ−Ｆｉホット・スポットに最初にアクセスしたとき、Ｗｉ−Ｆｉ機能を既存の方式で有効にする必要がある。例えば、ユーザがアクティブに設定を端末で行ってＷｉ−Ｆｉ機能を有効にするか、または、端末のＷｉ−Ｆｉ機能をデフォルトで有効にする。端末は、Ｗｉ−Ｆｉネットワークを検索して、Ｗｉ−ＦｉのＡＰとの接続の確立に成功した後、モバイル端末が現在のモバイル・ネットワークの位置情報を同時に読み出す。当該位置情報は、特に、ＧＳＭおよびＷＣＤＭＡネットワークのＣｅｌｌ  ＩＤ（セル識別子）ならびにＣＤＭＡネットワークのシステム識別子ＳＩＤおよびネットワーク識別子ＮＩＤを指す。次に、Ｗｉ−Ｆｉアクセス位置リストにおいて、新たなレコードが追加され、モバイル・ネットワーク位置識別子およびＷｉ−Ｆｉ  ＳＳＩＤが保存される。当該プロセスを端末により自動的に実現することができ、ユーザの介入は必要でない。あるいは、対応するプロンプト情報（例えば、Ｗｉ−Ｆｉ情報を保存する必要があるかどうか、および続いて接続を自動的に行ってもよいかどうか）を端末が提供してもよく、当該レコードを保存するかどうかをユーザがアクティブに選択できるようにしてもよい。レコードを保存するかどうかをユーザが選択できる場合には、端末はまず、対応するレコードをＷｉ−Ｆｉアクセス位置リストが有するかどうかをチェックする必要があり、新たなレコードについてのみユーザに情報を促す必要がある。
【００３８】
モバイル・ネットワークの位置カバレッジは通常、特定のＷｉ−ＦｉのＡＰの地理的なカバレッジよりもかなり広く、したがって、１つのモバイル・ネットワーク位置識別子が複数のＷｉ−Ｆｉ  ＳＳＩＤに対応する可能性がある。
例えば、Ｗｉ−Ｆｉアクセス位置リストで以下の方式を採用してもよい。
【表１】
0005799453.tif 000002
【００３９】
場合によっては、少なくとも２つのアクセス・ポイントが検索を通じて発見されたとき、当該アクセス・ポイントに対応する取得したＷｉ−Ｆｉサービス・セット識別子を、Ｗｉ−Ｆｉアクセス位置リスト内のモバイル・ネットワーク位置識別子に対応するレコードに格納するステップは、
端末により、少なくとも２つのアクセス・ポイントのうち特定のアクセス・ポイントとの接続を確立するステップと、
接続に成功した後に、当該端末により、当該特定のアクセス・ポイントに対応するＷｉ−Ｆｉサービス・セット識別子を取得し、当該サービス・セット識別子を、Ｗｉ−Ｆｉアクセス位置リスト内のモバイル・ネットワーク位置識別子に対応するレコードに格納し、別のアクセス・ポイントの接続プロセスを開始するステップと、
を含む。
【００４０】
本発明はさらに、端末の装置の実施形態を提供する。当該端末は、
端末の現在のモバイル・ネットワーク位置識別子を取得するように構成された位置識別子取得モジュール４０１と、
端末の現在のモバイル・ネットワーク位置識別子がＷｉ−Ｆｉアクセス位置リストに格納されるかどうかを判定するように構成された判定モジュール４０２であって、当該Ｗｉ−Ｆｉアクセス位置リストは、Ｗｉ−Ｆｉ無線信号アクセスを提供する領域に対応する関連識別子を格納するために使用される判定モジュール４０２と、
端末の現在のモバイル・ネットワーク位置識別子がＷｉ−Ｆｉアクセス位置リストに格納されていると判定モジュール４０２が判定したとき、Ｗｉ−Ｆｉアクセス・モジュールを有効状態にして、Ｗｉ−Ｆｉネットワーク検索接続プロセスを開始するように構成された実行モジュール４０３と、
を備える。
【００４１】
場合によっては、当該端末はさらに、
比較を通じて、現在のモバイル・ネットワーク位置識別子と以前に格納したモバイル・ネットワーク位置識別子が同一であるかどうかを判定するように構成された比較モジュール４０４と、
比較モジュール４０４の比較の結果、これらの２つが同一でないとき、現在のモバイル・ネットワーク位置識別子がＷｉ−Ｆｉアクセス位置リストに格納されているかどうかを判定するように判定モジュール４０２をトリガするように構成されたトリガ・モジュール  ４０５と、
を備えてもよい。
【００４２】
場合によっては、モバイル・ネットワーク位置識別子は特にモバイル・ネットワークのセル識別子である。
【００４３】
位置識別子取得モジュール４０１は特に、モバイル・ネットワークが配信するセル・ブロードキャスト・メッセージに従って、端末が配置されているモバイル・ネットワークのセル識別子を取得するように構成される。
【００４４】
場合によっては、Ｗｉ−Ｆｉアクセス位置リストはさらに、モバイル・ネットワーク位置識別子が示す領域内のアクセス・ポイントに対応するＷｉ−Ｆｉサービス・セット識別子を格納するために使用される。
【００４５】
実行モジュール４０３は特に、端末の現在のモバイル・ネットワーク位置識別子がＷｉ−Ｆｉアクセス位置リストに格納されていると判定されたとき、端末が配置されているＷｉ−Ｆｉネットワークのサービス・セット識別子に対応するＷｉ−Ｆｉ接続プロセスを開始するように構成される。
【００４６】
さらに、本発明はさらにＷｉ−Ｆｉアクセス位置リスト生成モジュールを提供する。当該モジュールは、
Ｗｉ−Ｆｉアクセス・モジュールの有効化をトリガし、ネットワーク検索プロセスを開始し、検索を通じて発見されたアクセス・ポイントとの接続を確立した後、端末の現在のモバイル・ネットワーク位置識別子を取得するように構成された位置識別子取得ユニット  ５０１と、
モバイル・ネットワーク位置識別子をＷｉ−Ｆｉアクセス位置リストに格納するように構成された記憶処理ユニット５０２と、
を備える。
【００４７】
当該モバイル・ネットワーク位置識別子は、端末が配置されているモバイル・ネットワークのセル識別子である。
【００４８】
記憶処理ユニット５０２は特に、端末が配置されているモバイル・ネットワークのセル識別子をＷｉ−Ｆｉアクセス位置リストに格納するように構成される。
【００４９】
場合によっては、位置識別子取得ユニットはさらに、端末の現在のアクセス・ポイントに対応するＷｉ−Ｆｉネットワークのサービス・セット識別子を取得するように構成される。
【００５０】
記憶処理ユニット５０２は特に、Ｗｉ−Ｆｉネットワークのサービス・セット識別子を、Ｗｉ−Ｆｉアクセス位置リスト内のモバイル・ネットワーク位置識別子に対応するレコードに格納するようにさらに構成される。
【００５１】
以上の方法の実施形態における手続きの全部または一部を、関連ハードウェアに指示するコンピュータ・プログラムにより実現してもよいことは当業者には理解される。当該プログラムを、コンピュータ読取可能記憶媒体に格納してもよい。当該プログラムを実行したとき、以上の方法の実施形態の手続きを実施することができる。当該記憶媒体が、磁気ディスク、光ディスク、読取専用メモリ（ＲＯＭ）、またはランダム・アクセス・メモリ（ＲＡＭ）であってもよい。
【００５２】
最後に、以上の実施形態は本発明の技術的解決策を説明するために提供したものにすぎず、本発明を限定しようとするものではないことに留意されたい。以上の諸実施形態を参照して本発明を詳細に説明したが、対応する技術的解決策の本質が本発明の趣旨と範囲を逸脱しない限り、以上の諸実施形態で説明した技術的解決策に修正を加えてもよく、または、当該技術的解決策における一部の技術的特徴に対して均等な置換えを行ってもよいことは当業者には理解される。
【符号の説明】
【００５３】
Ｓ４０１  位置識別子取得モジュール
Ｓ４０２  判定モジュール
Ｓ４０３  実行モジュール
Ｓ４０４  比較モジュール
Ｓ４０５  トリガ・モジュール
Ｓ５０１  位置識別子取得ユニット
Ｓ５０２  記憶処理ユニット
【図２】
0005799453.tif 000003
【図３】
0005799453.tif 000004
【図４】
0005799453.tif 000005
【図５】
0005799453.tif 000006
【図１】
0005799453.tif 000007